(57)【要約】      （修正有）【課題】爪先の内転・踵の外転を積極的に防止する効果を奏し、時間的に日常生活の相当部分を占める屋内活動の間に装用するだけで、無意識のうちに内股・Ｘ脚を防止・矯正し、ひいては骨盤後傾を改善して健康を増進できる屋内履き用のスリッパを提供する。【解決手段】底板１０とハネ２０とから成るスリッパＳ２において、ハネの爪先部には足の第３指から第５指のＭＰ関節よりも先の部分が露出する開口部を設けて成るとともに、前記ハネは、内側においては足骨のリスフラン関節の位置から足の第１指と第２指の先端の位置にかけて、外側においては第５指のＭＰ関節の位置から踵骨外側の位置にかけてそれぞれ底板に接合して成り、前記底板には、足の第３指から第５指に向けて高さが低くなる傾斜面を有する凸面１１を備えることを特徴とするスリッパ。【選択図】図１２
2017079937.tif 000002
【特許請求の範囲】
【請求項１】
底板とハネとから成るスリッパにおいて、ハネの爪先部には足の第３指から第５指のＭＰ関節よりも先の部分が露出する開口部を設けて成るとともに、前記ハネは、内側においては足骨のリスフラン関節の位置から足の第１指と第２指の先端の位置にかけて、外側においては第５指のＭＰ関節の位置から踵骨外側の位置にかけてそれぞれ底板に接合して成ることを特徴とするスリッパ。
【請求項２】
前記ハネは、さらに爪先部の先端が足指の第２指と第３指の間で底板の上面に接合され、第１指と第２指の２指を収容する袋部を形成して成ることを特徴とする請求項１に記載のスリッパ。
【請求項３】
前記底板には、足の第３指から第５指に向けて高さが低くなる傾斜面を有する凸面を備えることを特徴とする、請求項１又は請求項２のいずれかに記載のスリッパ。
【発明の詳細な説明】
【技術分野】
【０００１】
本発明は、主に屋内履きに使用するスリッパに関し、歩行時における踵の外転を防ぐことにより、着用者の身体全体の姿勢を矯正することのできるスリッパに関する。
【背景技術】
【０００２】
身体の不適正な姿勢が、腰痛、肩こり、頭痛、内容の不調等の症状の原因となることが知られている。本来、活動時の人体は骨盤がやや前傾した状態が基本姿勢であるが、現代人の多くは、履物により足指の動きが制約されることに馴化し、歩行に足指をあまり使わなくなっているため、体重がより一層踵に係る傾向が強まった結果、骨盤が後傾しがちとなっている。
【０００３】
骨盤が後傾すると大腿部の内転筋が活用されにくくなるため、必然的に爪先が内転し、踵が外転して内股気味となり、膝下の脛骨・尺骨の２本の骨は内傾していわゆるＸ脚となる。歩行の際には脚の後ろ側に位置する下腿三頭筋や、ハムストリングと呼ばれる太く力の大きな筋肉が原動力となるが、主に体重を支えるべき脛骨が内傾した状態では、本来は「踏ん張る」「動きを止める」という役割を担う脚の前側に位置する腓骨筋群や前脛骨筋に負担を掛けることになる。これはいわば「アクセルを踏みながらブレーキを掛けている状態」であり、身体の運動効率は低下し、当然にバランスも損なわれる。
【０００４】
現代の靴やスリッパ等の履物は、足指が爪先部で強く収束されてその動きが制約されるものが多く、これがこうした内股・Ｘ脚の傾向を助長している。これを改善するには、足の第３指から第５指を拘束せず、しかも、底板上で足の爪先が内転することを防止できる履物が望ましい。逆にいえば、着用した際に着用者の爪先を積極的に外転させる履物ならば、内股やＸ脚を防止でき、ひいては骨盤後傾を矯正して、全身の姿勢を改善することが期待できる。
【０００５】
出願人は、これまでにもかかる足の爪先の内転による内股・Ｘ脚の助長を防ぐことを目的として、踵矯正装具及び踵矯正用靴下（実願２０１５−００３９７２）、履物の底板及び履物（実願２０１５−００４４９４）を提案してきたが、これらは主に屋外履きの一般的な靴への適用を想定したものである。また、他に特許文献１に掲載の室内履き用スリッパ（登録実用新案第３１９９２８２号公報）も提案したが、これは、第１指と第２指、第３指から第５指をそれぞれ収容する爪先部を有する二股形状のスリッパであり、主に足指の積極的な活用を促進することを重視したものであり、爪先の内転を積極的に防止するものではなかった。また、一般的な室内履き用のスリッパは、通常は足の大部分が露出した構造であって、柔らかい素材で製作されるものであるため、従来は効果的に爪先の内転を防止する効果を有するものは存在しなかった。
【特許文献１】登録実用新案第３１９９２８２号公報
【０００６】
無論、これまでにも爪先部分が開放されていて、履いた状態で全ての指が露出するサンダルやスリッパは一般的に普及している。しかし、かかるサンダルやスリッパの場合、そもそも底板の両側端に接合された帯状のハネ（靴の甲革に相当する部分）が足の甲の前部を覆って底板の足裏への当接させるだけであり、足がハネを支点にして底板上で容易に動くこと、すなわち、足の前後軸が底板の前後軸に対して回転することを許す構造であるため、前述の爪先の内転・踵の外転を積極的に防止するものではなかった。
【０００７】
また、特許文献２に記載のサンダル・スリッパのように爪先部の第１指側と第５指側の両側に開口部を設けた構成も提案されているが、かかる先行技術における爪先の開口部は単に足指に靴擦れやタコができないようにする効果を意図したものであり、やはり、爪先の内転・踵の外転を積極的に防止するものではなかった。
【特許文献２】特開２０００−２３６９０１号公開公報
【発明の開示】
【発明が解決しようとする課題】
【０００８】
以上の先行技術の限界を踏まえて、本願発明は、爪先の内転・踵の外転を積極的に防止する効果を奏し、時間的に日常生活の相当部分を占める屋内活動の間に装用するだけで、無意識のうちに内股・Ｘ脚を防止・矯正し、ひいては骨盤後傾を改善して健康を増進できる屋内履き用のスリッパを提供することを課題とする。
【０００９】
上記の課題を解決するために、請求項１に記載した発明は、底板とハネとから成るスリッパであって、ハネの爪先部に足の第３指から第５指のＭＰ関節よりも先の部分が露出する開口部を設けて成るとともに、前記ハネは、内側においては足骨のリスフラン関節の位置から足の第１指と第２指の先端の位置にかけて、外側においては第５指のＭＰ関節の位置から踵骨外側の位置にかけて、それぞれ底板に接合して成ることを特徴とする。
【００１０】
該スリッパは、爪先が袋状である一般的なスリッパの構成において、第３指から第５指の３指を露出させる開口部を設け、かつ、通常のスリッパでは概ね左右対照に足先を覆う形状のハネを、足の内側では爪先から中足骨付近まで、足の外側ではＭＰ関節から踵骨の側面付近までを覆う非対称の形状としたものである。
【００１１】
図１は、人の足骨の構成を示す略図である。本発明に係るスリッパは、第１指と第２指の２指の爪先は袋状のハネによって拘束されるのに対し、第３指から第５指の３指はＭＰ関節から先が開口部から露出していて拘束されず、底板上での動きが自由なため、起立時・歩行時に体重が掛かると必然的に爪先には外側、すなわち第５指の方向に向かう力が働く。また、ＭＰ関節すなわち中足趾節関節は足指の付け根を構成する関節であるため、ＭＰ関節から先の自由度が高まることで、第３指から第５指が体重を受け止め易くなり、無意識のうちに足指を使うことが促進される。
【００１２】
一方、リスフラン関節は、中足骨群と足根骨群足との関節であり、足を側面から見た際に土踏まずのアーチを形成して下腿骨から垂直に伝わる体重を受け止める役割を果たす。
ここで、足の内側ではハネが爪先からリスフラン関節の位置までを相対的に短く覆うのに対し、足の外側ではハネがＭＰ関節の位置から踵骨の側面までを相対的に長く覆う。そのため、リスフラン関節が受け止めた体重は、内側には移動し易いのに対し、外側には移動しにくい形となり、必然的に踵には内側方向に力が働く。
【００１３】
以上の作用により、爪先が外転し易くなり、逆に踵は内転し易くなる。そして、着用者が内股気味で爪先が内転しがちの場合には、第１指がハネの爪先部内面によって内側にずれることが規制される一方、踵骨の外側面はハネにより外側にずれ出すことが抑制されるため、着用者は爪先を外転させるように促される。すなわち、本発明に係るスリッパを着用して歩行することにより、着用者は無意識のうちに爪先の内転が防止・矯正され、内股傾向やＸ脚が改善されるのである。
【００１４】
次に、請求項２に記載したスリッパは、請求項１に記載のスリッパにおいて、ハネの爪先部の先端の一部を足指の第２指と第３指との間で底板の上面に接合することで、第１指と第２指の２指を収容する袋部を形成して成ることを特徴とする。
【００１５】
かかる構成では、第１指と第２指はまとめて袋部に収容されて拘束されるため、前述のように爪先が外転し易くなることで不用意に第２指までもが開口部から外に露出してしまうことが防がれるだけでなく、第２指と第３指の間に「鼻緒」を設けたと同様の形となる。通常、人間の足指は第１指が独立して動かし易いのに対し、第２指から第５指までの４指はひとまとめでしか動かしにくい。そのため、日常的にはあまり第１指以外の指は積極的に活用されず、いわゆる「浮き指」の状態となりがちであり、これが爪先の内転による内股気味やＸ脚の原因の一つとなっている。
【００１６】
しかし、本発明のかかる構成によれば、第１指の動きに合わせて第２指が積極的に動くようになり、かつ、第２指と第３指とを別々に動かし易くなるため、第３指の動きにつられて第４指、第５指の動きも活発化する。これにより、着用者に足指を積極的に使用した起立・歩行を促す効果が期待できる。
【００１７】
次に、請求項３に記載したスリッパは、請求項１又は請求項２のいずれかに記載したスリッパであって、底板の上面に足の第３指から第５指に向けて高さが低くなる傾斜面を有する凸面を備えることを特徴とする。
【００１８】
かかる凸面により、スリッパの着用時には第３指が一番高く押し上げられ、第４指、第５指と順に低くなる形となる。第３指から第５指の３指がＭＰ関節より先が開口部から露出しているため、前述の通り爪先には外転する作用が働くが、かかる凸面を設けることにより、第３指から第５指にかけて外側に傾斜する形で指が配列されるため、爪先を外転させる効果がさらに強まる。また、第２指と第３指との間に凸面による段差が生じるため、ハネの先端に前記袋部を設けた場合はもとより、袋部を設けない場合でも第２指が不用意に開口部から露出することが防がれる。
【００１９】
また、足指、特に第５指は、人間の起立時・歩行時の身体のバランスを制御する上で重要な役割を果たすものであるが、内股気味の姿勢では無意識のうちに第５指が浮き上がりがちとなり、骨盤後傾や猫背を生じ易くなる。ところで、人体は足裏からＭＰ関節に刺戟を受けることにより無意識に足指を丸める体性反射を示すことが医学的・経験的に知られている。本発明では、前記凸面で第３指から第５指のＭＰ関節を押し上げることで生じる体性反射を利用して着用者に足指を丸めさせ、歩行中の足指の積極的な使用を促す効果が期待できる。かかる効果は、前述の特許文献１に記載の考案において出願人が意図した効果と共通するものである。
【発明の効果】
【００２０】
本発明に係るスリッパは、柔らかく軽量な素材から成る屋内履き用スリッパでに適用可能であり、着用して起立・歩行するだけで爪先の内転・踵の外転を積極的に防止し、無意識のうちに内股・Ｘ脚を防止・矯正し、ひいては骨盤後傾を改善して健康を増進する効果を奏する。
【発明を実施するための最良の形態】
【００２１】
（第１実施形態）
以下、本発明の実施形態について図を用いて説明する。図２は、本発明の第１実施形態に係るスリッパＳ１の斜視図であり、図３はその平面図である。なお、図は以下を含めてすべて右足用を示したものであって、左足用は対照に表れるため図示は省略する。
【００２２】
スリッパＳ１は、底板１０にハネ２０とから成り、ハネ２０の爪先部２２には足の第３指から第５指のＭＰ関節よりも先の部分が露出する開口部２１を設けている。一方、第１指と第２指の先端は爪先部２２が開口していない箇所に当接する。また、前記ハネ２０の内側面２４は、内側においては足おねのリスフラン関節の位置から足の第１指と第２指の先端の位置にかけて底板１０に接合されており、該側面２３は第５指のＭＰ関節の位置から踵骨外側の位置にかけて底板１０に接合されている。すなわち、ハネは、足の内側では指骨及び中足骨の位置で底板１０に取り付けられ、足の外側では中足骨及び足根骨の位置で底板１０に取り付けられており、ハネの上端は足の内側のリスフラン関節の位置から足の外側の踵骨の位置に掛けて後方に偏向したアーチを描く形となる。
【００２３】
図４は、前記図３に着用者の右足の平面を重ねて示したものである。また、図５はスリッパＳ１の右側面図、図６は左側面図、図７は正面図、図８は背面図、図９は着用状態の右側面図、図１０は着用状態の左側面図、図１１は着用状態の正面図である。かかるスリッパＳ１の構成により、ハネ２０の爪先部２２で覆われた第１指及び第２指は内側へ転回する動きが規制されるのに対し、開口部２１からＭＰ関節より先が露出している第３指から第５指は外側への動きが自由となる。一方、足の踵部分においては、内側ではリスフラン関節より後ろでハネ２０が広く開放されているため、内側へ転回する動きが自由であるのに対し、外側ではハネ２０が中足骨から踵骨までを覆っているため、外側に転回する動きが規制される。その結果、着用者が起立・歩行する際には、足の爪先側が外転し、踵側が内転することが促されるため、内股気味となることが防止され、Ｘ脚が矯正されるのである。
【００２４】
（第２実施形態）
図１２は、本発明の第２実施形態に係るスリッパＳ２の斜視図であり、図１３は平面図、図１４は右側面図、図１５は左側面図、図１６は正面図、図１７は背面図、図１８は着用時の右側面図、図１９は着用時の正面図である。
【００２５】
底板１０及びハネ２０の構成はスリッパＳ１と共通であるが、スリッパＳ２はさらに、底板１０の前方上面の第３指から第５指のＭＰ関節付近から指先の位置相当する位置に凸面１１を追加している。凸面１１は足指を上方に持ち上げるが、第３指が最も高く、第５指にかけて高さが徐々に低くなる断面形状を有する。
【００２６】
かかる構成としたことにより、スリッパの着用時には第３指が一番高く押し上げられ、第４指、第５指と順に低くなって３指が外側に傾斜する形となる。ここで、これら３指はＭＰ関節より先が開口部から露出しているため、前述の通り爪先には外転する作用が働くがかかる凸面１１の存在によりその外転を促す効果がさらに強まる。また、第２指と第３指との間には凸面１１による段差が生じるため、第２指が不用意に開口部２１から露出することも防がれるのである。
【００２７】
（第３実施形態）
図２０は、本発明の第３実施形態に係るスリッパＳ３の斜視図であり、図２１はその平面図、図２２は右側面図、図２３は左側面図、図２４は正面図、図２５は背面図である。
底板１０及びハネ２０の構成はやはりスリッパＳ１と共通であるが、スリッパＳ３では、ハネ２０の爪先部分の先端の一部が足の第２指と第３指の間で底板１０の上面に接合されて、第１指と第２指の２指を収容する袋部２５を形成している。かかる構成によれば、第１指と第２指はまとめて袋部２５に収容されて拘束されるため、爪先に外転する作用が働いた際に不用意に第２指までもが開口部２１から外に露出してしまうことが防がれる。
【００２８】
また、第２指と第３指との間にはハネの一部が挟まる形となって「鼻緒」を設けたと同様の構造になる。これにより、前述の出願人の提案による二股形状のスリッパ（特許文献１）と同様に、本来はひとまとめでしか動かしにくいため日常的には意識して独立して動かすことのない第２指から第４指の４本の指のうち、第３指を第２指とは別々に動かし易くなり、その結果、第３指の動きにつられて第４指、第５指の動きも活発化する。その結果、着用者にすべての足指を積極的に使用して起立・歩行するよう促す効果が発揮され、特に第５指が「浮き指」の状態になることが防がれるため、爪先の内転による内股気味やＸ脚を防止・矯正する効果をより一層高めることが期待されるのである。
【００２９】
（第４実施形態）
最後に図２６は、本発明の第４実施形態に係るスリッパＳ４の斜視図である。スリッパＳ４は、前記第３実施形態に係るスリッパＳ３に、第２実施形態に係るスリッパＳ２に設けた凸面１１を追加したものである。スリッパＳ３と同様の二股形状による効果に加え、スリッパＳ２と同様に第３指から第５指にかけての傾斜による爪先を外転させる効果の強化が図られる。
【００３０】
なお、凸面１１の構成は、底板１０の上面に別部材を貼付したものでも良いし、あるいは底板１０の製造時に一体成型して設けるものとしても良い。
【００３１】
以上、本発明の実施形態について図面を参照しつつ説明したが、本発明は、必ずしも上述した構成にのみ限定されるものではなく、本発明の目的を達成し、効果を有する範囲内において、適宜変更実施することが可能なものであり、本発明の技術的思想の範囲内に属する限り、それらは本発明の技術的範囲に属する。
【産業上の利用可能性】
【００３２】
本発明に係るスリッパは、日常生活で通常のスリッパに代えて常用することにより、着用者の無意識のうちに爪先の内転を防止して内股やＸ脚を矯正でき、骨盤後傾を改善できるため、不適切な姿勢による各種の身体の疾患や体調不良の予防・改善に利用できる。特に、屋内（室内）で日常の多くの時間を過ごす高齢者や入院患者用のスリッパや、医療関係従事者の屋内業務用の履物等への適用が考えられる。
【図面の簡単な説明】
【００３３】
【図１】足骨の平面略図
【図２】第１実施形態に係るスリッパＳ１の斜視図
【図３】第１実施形態に係るスリッパＳ１の平面図
【図４】第１実施形態に係るスリッパＳ１の着用時の平面図
【図５】第１実施形態に係るスリッパＳ１の右側面図
【図６】第１実施形態に係るスリッパＳ１の左側面図
【図７】第１実施形態に係るスリッパＳ１の正面図
【図８】第１実施形態に係るスリッパＳ１の背面図
【図９】第１実施形態に係るスリッパＳ１の着用時の右側面図
【図１０】第１実施形態に係るスリッパＳ１の着用時の左側面図
【図１１】第１実施形態に係るスリッパＳ１の着用時の正面図
【図１２】第２実施形態に係るスリッパＳ２の斜視図
【図１３】第２実施形態に係るスリッパＳ２の平面図
【図１４】第２実施形態に係るスリッパＳ２の右側面図
【図１５】第２実施形態に係るスリッパＳ２の左側面図
【図１６】第２実施形態に係るスリッパＳ２の正面図
【図１７】第２実施形態に係るスリッパＳ２の背面図
【図１８】第２実施形態に係るスリッパＳ２の着用時の右側面図
【図１９】第２実施形態に係るスリッパＳ２の着用時の正面図
【図２０】第３実施形態に係るスリッパＳ３の斜視図
【図２１】第３実施形態に係るスリッパＳ３の平面図
【図２２】第３実施形態に係るスリッパＳ３の右側面図
【図２３】第３実施形態に係るスリッパＳ３の左側面図
【図２４】第３実施形態に係るスリッパＳ３の正面図
【図２５】第３実施形態に係るスリッパＳ３の背面図
【図２６】第４実施形態に係るスリッパＳ４の斜視図
【符号の説明】
【００３４】
Ｓ１〜Ｓ４  スリッパ
１０       底板
１１    凸面
２０    ハネ
２１    開口部
２２    爪先部
２３       ハネの外側面
２４    ハネの内側面
２５    袋部
【図１】
2017079937.tif 000003
【図２】
2017079937.tif 000004
【図３】
2017079937.tif 000005
【図４】
2017079937.tif 000006
【図５】
2017079937.tif 000007
【図６】
2017079937.tif 000008
【図７】
2017079937.tif 000009
【図８】
2017079937.tif 000010
【図９】
2017079937.tif 000011
【図１０】
2017079937.tif 000012
【図１１】
2017079937.tif 000013
【図１２】
2017079937.tif 000014
【図１３】
2017079937.tif 000015
【図１４】
2017079937.tif 000016
【図１５】
2017079937.tif 000017
【図１６】
2017079937.tif 000018
【図１７】
2017079937.tif 000019
【図１８】
2017079937.tif 000020
【図１９】
2017079937.tif 000021
【図２０】
2017079937.tif 000022
【図２１】
2017079937.tif 000023
【図２２】
2017079937.tif 000024
【図２３】
2017079937.tif 000025
【図２４】
2017079937.tif 000026
【図２５】
2017079937.tif 000027
【図２６】
2017079937.tif 000028